(57)【要約】【課題】  引き出しの飛び出しおよび引き込みの両機能を有する飛び出し・引き込み装置を提供する。【解決手段】  装置本体Ｈと操作部材Ｓとを備え、装置本体は、本体部材１、２２と、飛び出し用付勢部材２８の付勢力を増大させる飛び出し部材２１と、飛び出し部材係合手段と、引き込み用付勢部材６５の付勢力を増大させる引き込み部材５１と、引き込み部材係合手段と、引き出しの移動に伴って、操作部材に係合されて引き込み部材を移動させ、かつ、引き込み部材係合手段により引き込み部材が係合されている飛び出し部材が、飛び出し部材係合手段により本体部材に係合された後に、引き込み部材係合手段による引き込み部材の飛び出し部材への係合を解除するとともに、引き出しの全閉時に、飛び出し部材係合手段による飛び出し部材の本体部材への係合を解除するキャッチ部材６６とを備えている。【選択図】      図３
2006102294.tif 000002
【特許請求の範囲】
【請求項１】
キャビネットのキャビネット本体および引き出しのいずれか一方に取り付けられる装置本体と、他方に取り付けられる操作部材とを備え、
前記装置本体は、
前記キャビネット本体および前記引き出しのいずれか一方に取り付けられる本体部材と、
前記本体部材に往復移動自在に設けられ、前記引き出しの押し込み方向の移動に伴う移動により、前記引き出しを飛び出させる飛び出し用付勢部材の付勢力を増大させる飛び出し部材と、
前記飛び出し用付勢部材の付勢力を増大させるように移動した前記飛び出し部材を前記本体部材に係合する飛び出し部材係合手段と、
前記飛び出し部材の移動方向と平行に往復移動自在に設けられ、前記引き出しの引き出し方向の移動に伴う移動により、前記引き出しを引き込む引き込み用付勢部材の付勢力を増大させる引き込み部材と、
前記引き込み用付勢部材の付勢力を増大させるように移動した前記引き込み部材を前記飛び出し部材に係合する引き込み部材係合手段と、
前記引き出しの移動に伴って、前記操作部材に係合されて前記引き込み部材を移動させ、かつ、前記引き込み部材係合手段により前記引き込み部材が係合されている前記飛び出し部材が、前記飛び出し部材係合手段により前記本体部材に係合された後に、前記引き込み部材係合手段による前記引き込み部材の前記飛び出し部材への係合を解除するキャッチ部材と、
前記引き出しの全閉時に、前記飛び出し部材係合手段による前記飛び出し部材の前記本体部材への係合を解除する飛び出し部材係合解除手段とを備えている、
ことを特徴とする飛び出し・引き込み装置。
【請求項２】
キャビネットのキャビネット本体および引き出しのいずれか一方に取り付けられる装置本体と、他方に取り付けられる操作部材とを備え、
前記装置本体は、
前記キャビネット本体および前記引き出しのいずれか一方に取り付けられる本体部材と、
前記本体部材に往復移動自在に設けられ、前記引き出しの押し込み方向の移動に伴う移動により、前記引き出しを飛び出させる飛び出し用付勢部材の付勢力を増大させる飛び出し部材と、
前記飛び出し用付勢部材の付勢力を増大させるように移動した前記飛び出し部材を前記本体部材に係合する飛び出し部材係合手段と、
前記飛び出し部材の移動方向と平行に往復移動自在に設けられ、前記引き出しの引き出し方向の移動に伴う移動により、前記引き出しを引き込む引き込み用付勢部材の付勢力を増大させる引き込み部材と、
前記引き込み用付勢部材の付勢力を増大させるように移動した前記引き込み部材を前記飛び出し部材に係合する引き込み部材係合手段と、
前記引き出しの移動に伴って、前記操作部材に係合されて前記引き込み部材を移動させ、かつ、前記引き込み部材係合手段により前記引き込み部材が係合されている前記飛び出し部材が、前記飛び出し部材係合手段により前記本体部材に係合された後に、前記引き込み部材係合手段による前記引き込み部材の前記飛び出し部材への係合を解除するとともに、前記引き出しの全閉時に、前記飛び出し部材係合手段による前記飛び出し部材の前記本体部材への係合を解除するキャッチ部材とを備えている、
ことを特徴とする飛び出し・引き込み装置。
【発明の詳細な説明】
【技術分野】
【０００１】
本発明は、調理台の引き出し等に用いられる飛び出し・引き込み装置に関する。
【背景技術】
【０００２】
調理台、整理棚、家具等のキャビネット（引き出しキャビネット）には、引き出し（抽斗）を引き出す時の使い勝手を良くするために、飛び出し装置が設置されているものがある。この飛び出し装置は、引き出しが閉じている時に、引き出しを少し押し込むと、引き出しが少し飛び出し、引き出し力が軽減されるようになっている（例えば、特許文献１参照）。
一方、開いている引き出しを閉める時に、引き出しを押し込むと、途中からバネにより引き出しを引き込むようにして、閉動作時の使い勝ってを良くする引き込み装置が知られている（例えば、特許文献１参照）。
【０００３】
【特許文献１】特開２００４−４１６１６号公報
【特許文献２】特開２００１−２４５７３８号公報
【発明の開示】
【発明が解決しようとする課題】
【０００４】
しかしながら、従来、引き出しの飛び出しおよび引き込みを１つの装置で行うようにしたものは知られていなかった。
【０００５】
本発明は、上記事情に鑑みて為されたもので、引き出しの飛び出しおよび引き込みの両機能を有する飛び出し・引き込み装置を提供することを目的とする。
【課題を解決するための手段】
【０００６】
前記目的を達成するために、請求項１に記載の飛び出し・引き込み装置は、キャビネットのキャビネット本体および引き出しのいずれか一方に取り付けられる装置本体と、他方に取り付けられる操作部材とを備え、
前記装置本体は、
前記キャビネット本体および前記引き出しのいずれか一方に取り付けられる本体部材と、
前記本体部材に往復移動自在に設けられ、前記引き出しの押し込み方向の移動に伴う移動により、前記引き出しを飛び出させる飛び出し用付勢部材の付勢力を増大させる飛び出し部材と、
前記飛び出し用付勢部材の付勢力を増大させるように移動した前記飛び出し部材を前記本体部材に係合する飛び出し部材係合手段と、
前記飛び出し部材の移動方向と平行に往復移動自在に設けられ、前記引き出しの引き出し方向の移動に伴う移動により、前記引き出しを引き込む引き込み用付勢部材の付勢力を増大させる引き込み部材と、
前記引き込み用付勢部材の付勢力を増大させるように移動した前記引き込み部材を前記飛び出し部材に係合する引き込み部材係合手段と、
前記引き出しの移動に伴って、前記操作部材に係合されて前記引き込み部材を移動させ、かつ、前記引き込み部材係合手段により前記引き込み部材が係合されている前記飛び出し部材が、前記飛び出し部材係合手段により前記本体部材に係合された後に、前記引き込み部材係合手段による前記引き込み部材の前記飛び出し部材への係合を解除するキャッチ部材と、
前記引き出しの全閉時に、前記飛び出し部材係合手段による前記飛び出し部材の前記本体部材への係合を解除する飛び出し部材係合解除手段とを備えている、
ことを特徴とする。
【０００７】
請求項２に記載の飛び出し・引き込み装置は、キャビネットのキャビネット本体および引き出しのいずれか一方に取り付けられる装置本体と、他方に取り付けられる操作部材とを備え、
前記装置本体は、
前記キャビネット本体および前記引き出しのいずれか一方に取り付けられる本体部材と、
前記本体部材に往復移動自在に設けられ、前記引き出しの押し込み方向の移動に伴う移動により、前記引き出しを飛び出させる飛び出し用付勢部材の付勢力を増大させる飛び出し部材と、
前記飛び出し用付勢部材の付勢力を増大させるように移動した前記飛び出し部材を前記本体部材に係合する飛び出し部材係合手段と、
前記飛び出し部材の移動方向と平行に往復移動自在に設けられ、前記引き出しの引き出し方向の移動に伴う移動により、前記引き出しを引き込む引き込み用付勢部材の付勢力を増大させる引き込み部材と、
前記引き込み用付勢部材の付勢力を増大させるように移動した前記引き込み部材を前記飛び出し部材に係合する引き込み部材係合手段と、
前記引き出しの移動に伴って、前記操作部材に係合されて前記引き込み部材を移動させ、かつ、前記引き込み部材係合手段により前記引き込み部材が係合されている前記飛び出し部材が、前記飛び出し部材係合手段により前記本体部材に係合された後に、前記引き込み部材係合手段による前記引き込み部材の前記飛び出し部材への係合を解除するとともに、前記引き出しの全閉時に、前記飛び出し部材係合手段による前記飛び出し部材の前記本体部材への係合を解除するキャッチ部材とを備えている、
ことを特徴とする。
【発明の効果】
【０００８】
請求項１および請求項２に記載の飛び出し・引き込み装置によれば、１つの装置で引き出しの飛び出しおよび引き込みの両機能を有するので、装置をコンパクトにすることができ、調理台や家具等の様々な抽斗に適用し、引き出しの使い勝手を向上させることができる。
【発明を実施するための最良の形態】
【０００９】
以下、本発明の実施の形態を図面を参照して説明する。
図１乃至図９は、本発明の実施の形態に係る飛び出し・引き込み装置を示す図であって、図１は飛び出し・引き込み装置が設置されたキャビネットを示す横断面図であり、図２は同キャビネットの縦断面図であり、図３は飛び出し・引き込み装置を一部を切り欠いて示す平面図であり、図４は図３のＡ−Ａ線に沿う断面図であり、図５はＢ−Ｂ線に沿う断面図であり、図６は本体ケースを示す平面図であり、図７は飛び出し部を示す平面図であり、図８は引き込み部を示す平面図であり、図９はガイドレール部を示す平面図である。
【００１０】
本実施の形態の飛び出し・引き込み装置は、図１および図２に示すように、装置本体Ｈと操作部材Ｓとを備えており、装置本体Ｈは、キャビネットＫのキャビネット本体Ｌに取り付けられ、操作部材ＳはキャビネットＫの引き出しＭに取り付けられている。本実施の形態では、キャビネットＫには、大きさの異なる３つの引き出しＭが設けられており、各引き出しＭの底板ｎの下面中央部付近にそれぞれ、操作部材Ｓが固定されているとともに、各引き出しＭの各底板ｎに対向するキャビネット本体Ｌの対向面にそれぞれ、装置本体Ｈが固定されている。装置本体Ｈは、キャビネット本体Ｌの開口側端部に取り付けられている。各引き出しＭはそれぞれ、各飛び出し・引き込み装置により飛び出しおよび引き出しされる。なお、図２においては、最下段の引き出しＭについて装置本体Ｈおよび操作部材Ｓを図示し、上の２段の引き出しＭついては、装置本体Ｈおよび操作部材Ｓの図示を省略している。各引き出しＭは、キャビネット本体Ｌに設けられた左右のスライドレールＲ、Ｒ上を摺動し、開閉する。
【００１１】
飛び出し・引き込み装置の装置本体Ｈは、図３乃至図９に示すように、本体ケース（本体部材）１と、飛び出し部２と、引き込み部３と、ガイドレール部４とを備えている。
本体ケース１は、下方が開口された細長い四角箱状に形成されており、長手方向の側壁１１、１２のうちの一方の側壁１２は、キャビネット本体Ｌの手前側および奥側にそれぞれ配置される側壁１３および側壁１４の側の一部、ならびに頂壁１５側の一部を残して、ほとんどの部分が削除されている。側壁１３には、後述する飛び出し用のバネの一端部が係止される係止部１６が設けられ、また側壁１３の内面にはクッション１７が配置されている。長手方向の側壁１１の内面には、キャビネット本体Ｌの奥側に配置される側壁１４に近い位置に、側壁１１の高さ方向に沿って線状に延びる凸部１８が形成されている。本体ケース１内には、飛び出し部２が本体ケース１の長手方向に移動自在に設けられている。
【００１２】
飛び出し部２は、飛び出しフレーム（飛び出し部材）２１を備えている。飛び出しフレーム２１は、平面視において概略細長い四角状に、また側面視において概略Ｌ字状に形成されており、本体ケース１の長手方向の側壁１１、１２および頂壁１５と、ガイドレール部４の取付板２２とで形成される空間内に嵌合され、本体ケース１の長手方向に移動できるようになっている。
飛び出しフレーム２１の水平板部２３の下面には、長手方向に沿って直線状に延びる３本の溝２４、２５、２６が互いに平行に形成されている（図５参照）。本体ケース１の側壁１１側の溝２４は、側壁１３側の端部から飛び出しフレーム２１下面の長手方向中央部に設置されているピン２７まで延びており、この溝２４内には、このピン２７と本体ケース１の係止部１６との間に張設された引っ張りコイルバネ（付勢部材）２８が収められている。この引っ張りコイルバネ２８は飛び出し用のバネ（飛び出し用付勢部材）として機能するものである。また、飛び出しフレーム２１の下面には、ピン２７の近傍に回転ダンパー２９が設置されている。この回転ダンパー２９は、流体ダンパーであって、一方向回転時のみに抵抗を与えられて回転速度が遅くなるものである。
【００１３】
真ん中の溝２５は、側壁１３側の端部から側壁１４側の端部まで延びている。この溝２５の側壁１４側の端部には、後述する引き込み用のバネの一端部が係止される係止部３０が設けられている。
本体ケース１の側壁１２側の溝２６は、側壁１３側の端部近傍から側壁１４側の端部近傍まで延びており、後述するように、この溝２６内には引き込み部３の凸条が嵌入される。
【００１４】
飛び出しフレーム２１の水平板部２３の側端部から下方に垂直に延びている垂直板部３１は、本体ケース１の側壁１１側に形成されている。垂直板部３１の内面には、本体ケース１の側壁１３側の端部から飛び出しフレーム２１の全長の１／４くらいの位置に、垂直板部３１の高さ方向に沿って線状に延びる凸部３２が形成されている。本体ケース１の側壁１４側において、垂直板部３１の長さは水平板部２３の長さより少し短く設定されており、垂直板部３１の先端部３３より若干側壁１４側の水平板部２３の下面には、引き込み部３が突き当たるストッパピン（ストッパ）３４が下方に向けて突設されている。また、水平板部２３の下面には、ストッパピン３４の側壁１４側に、概略く字状のロックリンク３５がピン３６により回動可能に固定されている。このロックリンク３５は、板バネ（付勢部材）３７により平面視において時計方向に回動するように付勢されている。
【００１５】
また、水平板部２３の本体ケース１の側壁１２側の側面には、長手方向に沿って直線状に延びるガイド部４１が形成されている。ガイド部４１の本体ケース１の側壁１３側の端部には、側壁１１側に窪んでいる凹部４２が形成されている。
【００１６】
引き込み部３は、引き込みフレーム（引き込み部材）５１を備えている。この引き込みフレーム５１は、飛び出しフレーム２１とガイドレール部４の取付板２２との間に長手方向に移動可能に配設されている。引き込みフレーム５１の上面には、飛び出しフレーム２１に向けて突出する突条５２が形成され、この突条５２が溝２６に嵌入されており（図５参照）、突条５２が溝２６に沿って移動するようになっている。なお、この引き込みフレーム５１は、飛び出しフレーム２１の移動方向と平行に移動自在に設けられていればよく、本体ケース１と飛び出しフレーム２１の両方に支持されていても、あるいはこれらのうちの一方に支持されていてもよい。
【００１７】
引き込みフレーム５１の下面には、飛び出しフレーム２１の垂直板部３１側の端部で、かつ本体ケース１の側壁１３側から少し離れた位置に、ロックリンク５４がピン５５により回動可能に固定されている。このロックリンク５４は、板バネ（付勢部材）５６により平面視において反時計方向に回動するように付勢されている。
【００１８】
また、引き込みフレーム５１における飛び出しフレーム２１の垂直板部３１側の側部の中央部分には、細長い四角状の凹部６１が形成されており、この凹部６１の底面には、飛び出しフレーム２１の回転ダンパー２９のピニオンに噛み合うラック６２が形成されている。ラック６２は、引き込みフレーム５１の長手方向に延びており、回転ダンパー２９は、引き込みフレーム５１が飛び出しフレーム２１に対して、本体ケース１の側壁１３側に移動するときには、抵抗なく移動し、他方側壁１４側に移動するときには、抵抗力が働いて引き込みフレーム５１がゆっくり移動するようになっている。引き込みフレーム５１が引き込まれたときには、引き込みフレーム５１の端部６４が飛び出しフレーム２１のストッパピン３４に当接し、引き込みフレーム５１がそれ以上引き込まれないようになっている。
【００１９】
また、引き込みフレーム５１における本体ケース１の側壁１３側の端部には、飛び出しフレーム２１の係止部３０に一端部を係止され、溝２５内に収められている引っ張りコイルバネ（付勢部材）６５の他端部が係止されている。この引っ張りコイルバネ６５は引き込み用のバネ（引き込み用付勢部材）として機能するものである。
【００２０】
また、引き込みフレーム５１の下面には、キャッチ部材６６がロックリンク５４の近傍に設けられたピン６７により回動可能に固定されている。このキャッチ部材６６は、ネジリコイルバネ（付勢部材）６８により平面視において時計方向に回動するように付勢されている。
【００２１】
キャッチ部材６６には、本体ケース１の側壁１３側の端部でかつ側壁１２側に、キャッチ部７１が側壁１２よりも外側に突出するように形成されている。このキャッチ部７１は、側壁１２の外側に向かって突出している押し込み用係合部７２および引き出し用係合部７３を備えている。押し込み用係合部７２と引き出し用係合部７３とは少しの間隔をおいて形成されている。これらの押し込み用係合部７２および引き出し用係合部７３には、操作部材Ｓの係合部ｈが係合する。なお、後述するように、押し込み用係合部７２は、飛び出し用係合部としても機能し、また引き出し用係合部７３は、引き込み用係合部としても機能する。引き出し用係合部７３の基端部の上面には、ガイドローラ７４が回転自在に固定されている。このガイドローラ７４は、飛び出しフレーム２１のガイド部４１に案内されて移動し、本体ケース１の側壁１３側の端部では凹部４２内に落とされる。
【００２２】
また、キャッチ部材６６は、キャッチ部７１から引き込みフレーム５１の長手方向奥側に湾曲して延びるアーム部７６を備えている。このアーム部７６の先端部の下面には、ガイドローラ７７が回転自在に固定されている。
【００２３】
ガイドレール部４は、細長い四角板状の取付板（本体部材）２２を備えている。この取付板２２は、本体ケース１に取り付けられ、本体ケース１の下方の開口部を塞ぐとともに、キャビネットＫのキャビネット本体Ｌに取り付けられる。取付板２２は、本体ケース１の側壁１２側および側壁１３側に本体ケース１より突出している。この取付板２２と本体ケース１とは本体部材を構成している。
【００２４】
取付板２２の上面には、取付板２２の長手方向中央部から本体ケース１の側壁１４側の端部に渡って、ガイドレール８１が取り付けられている。このガイドレール８１のガイド面は、本体ケース１の側壁１２側の開口に面して形成されている。ガイドレール８１のガイド面は、段差がついて二段になっている。取付板２２の長手方向中央部側の第１ガイド面８３は、本体ケース１の側壁１２側の開口から浅い位置で、取付板２２の長手方向に直線的に延びており、本体ケース１の側壁１４側の第２ガイド面８４は、本体ケース１の側壁１２側の開口から深い位置で、取付板２２の長手方向にほぼ直線的に延びている。
【００２５】
取付板２２には、第２ガイド面８４の本体ケース１の側壁１４側の端部に、ロック制御リンク８６がピン８７により回動可能に固定されている。ロック制御リンク８６は、ネジリコイルバネ（付勢部材）８８により取付板２２の長手方向中央部側に回動するように付勢されている。キャッチ部材７１のアーム部７６先端部のガイドローラ７７は、第１ガイド面８３および第２ガイド面８４に案内され、さらにロック制御リンク８６を越えて移動する。
【００２６】
また、キャッチ部材６６は、ロックリンク５４近傍に押圧部８９を備えている。この押圧部８９は、アーム部７６先端部のガイドローラ７７が第１ガイド面８３から第２ガイド面８４に移動して、キャッチ部材６６がピン６７を中心に平面視において反時計方向に少し回動すると、ロックリンク５４を板バネ５６の付勢力に抗して時計方向に回動させ、ロックリンク５４のロック状態を解除するようになっている。
【００２７】
次に、この飛び出し・引き込み装置の動作を図１、図２および図１０乃至図１６を参照しつつ説明する。
キャビネットＫの引き出しＭが引き出されている状態（全開状態）から引き出しＭを閉じるには、キャビネットＫのキャビネット本体Ｌに引き出しＭを押し込んでゆく。引き出しＭを半分くらい押し込むと、図１０に示すように、引き出しＭの操作部材Ｓの係合部ｈが、キャッチ部材６６のキャッチ部７１の押し込み用係合部７２に突き当たって、係合する。
【００２８】
このとき、飛び出しフレーム２１は、飛び出し用の引っ張りコイルバネ２８の付勢力により手前側（本体ケース１の側壁１３側）に寄せられている。また、引き込みフレーム５１は、引き込み用の引っ張りコイルバネ６５をその付勢力に抗して伸ばして、飛び出しフレーム２１の手前側に寄せられ、そしてロックリンク５４が飛び出しフレーム２１の凸部３２に係合されることにより、その位置に保持されるとともに、飛び出しフレーム２１と一体的に本体ケース１の側壁１４側に移動する状態になっている。また、キャッチ部７１のガイドローラ７４は、飛び出しフレーム２１のガイド部４１の手前側の端部に位置し、キャッチ部材６６のアーム部７６の先端部のガイドローラ７７は、取付板２２の長手方向中央部側の第１ガイド面８３の手前側の端部に位置している。
【００２９】
次いで、さらに引き出しＭを押し込んで行くと、図１１に示すように、操作部材Ｓの係合部ｈによりキャッチ部材６６の押し込み用係合部７２が押されて、飛び出し用の引っ張りコイルバネ２８をその付勢力に抗して伸ばしながら、引き込みフレーム５１および飛び出しフレーム２１が奥側に押し込まれ、飛び出しフレーム２１のロックリンク３５が凸部１８を越えて奥側に位置する。
【００３０】
さらに、引き出しＭの押し込みを続けると、アーム部７６の先端部のガイドローラ７７が第１ガイド面８３から第２ガイド面８４に移動して、キャッチ部材６６がピン６７を中心に平面視において反時計方向に少し回動する。このキャッチ部材６６の回動により、キャッチ部材６６の押圧部８９がロックリンク５４を押して、ロックリンク５４を板バネ５６の付勢力に抗して凸部３２の係合から離脱させるように回動させ、引き込みフレーム５１を飛び出しフレーム２１に対して移動可能な状態にする。そうすると、引き込みフレーム５１が引き込み用の引っ張りコイルバネ６５の付勢力により奥側（本体ケース１の側壁１４側）に引き込まれる。このとき、引き込みフレーム５１のラック６２が飛び出しフレーム２１の回転ダンパー２９のピニオンに噛み合っているので、引き出しＭの押し込み速度が速すぎるときは、回転ダンパー２９が引き込みフレーム５１の速度を制動し、引き込みフレーム５１はゆっくりと移動させ、引き出しＭの押し込み速度が遅いときは、引っ張りコイルバネ６５の付勢力により引き込みフレーム５１が引き込まれていく。引き込みフレーム５１は、図１２に示すように、その端部６４が飛び出しフレーム２１のストッパピン３４に当接するまで、引き込まれ、この当接状態で引き出しＭが全閉状態になる。
この場合、引き込みフレーム５１が引き込み用の引っ張りコイルバネ６５の付勢力により引き込まれるので、キャッチ部材６６の引き出し用係合部７３により引き出しＭの操作部材Ｓの係合部ｈが引き込まれたため、引き出しＭを押し込まなくても、引き出しＭを閉状態にすることが可能である。このように引き出し用係合部７３は、引き込み用係合部としても機能する。
【００３１】
なお、飛び出しフレーム２１の凸部３２と引き込みフレーム５１との係合が解除されて、飛び出しフレーム２１が奥側に押されなくなっても、飛び出しフレーム２１のロックリンク３５が凸部１８の奥側に係合されるので、飛び出しフレーム２１は、引っ張りコイルバネ２８の付勢力により手前側に移動することなく、その位置に保持される。
【００３２】
他方、キャビネットＫの引き出しＭを全閉状態から開けるには、まず、引き出しＭを少し押し込む。そうすると、図１３に示すように、操作部材Ｓの係合部ｈによりキャッチ部材６６の押し込み用係合部７２が押されて、アーム部７６の先端部（ガイドローラ７７付近）が、飛び出しフレーム２１のロックリンク３５を押して、ロックリンク３５を板バネ３７の付勢力に抗して本体ケース１の凸部１８の係合から離脱させるように回動させ、飛び出しフレーム２１を移動可能な状態にする。飛び出しフレーム２１が移動可能な状態になると、図１４に示すように、飛び出しフレーム２１が飛び出し用の引っ張りコイルバネ２８の付勢力により手前側（本体ケース１の側壁１３側）に飛び出し、本体ケース１の側壁１３の内面のクッション１７に当って止まる。飛び出しフレーム２１の飛び出しに伴って、飛び出しフレーム２１のストッパピン３４により引き込みフレーム５１の端部６４が押されて、引き込みフレーム５１も飛び出しフレーム２１と一体的に飛び出し、さらにキャッチ部材６６の押し込み用係合部７２によって、引き出しＭの操作部材Ｓの係合部ｈが押されることにより、引き出しＭがキャビネット本体Ｌから少し飛び出す。このように押し込み用係合部７２は、飛び出し用係合部としても機能する。
【００３３】
次いで、引き出しＭを引き出す。そうすると、操作部材Ｓの係合部ｈによりキャッチ部材６６の引き出し用係合部７３が押されて、引き込み用の引っ張りコイルバネ６５をその付勢力に抗して伸ばしながら、引き込みフレーム５１が手前側に引き出されてくる。そして、図１５に示すように、ロックリンク５４が飛び出しフレーム２１の凸部３２の手前側に来ると、図１６に示すように、引き出し用係合部７３の基端部のガイドローラ７４が、飛び出しフレーム２１のガイド部４１から凹部４２内に落ち、これによりキャッチ部材６６が手前側に少し回動し、引き出し用係合部７３と操作部材Ｓの係合部ｈとの係合が外れる。そうすると、ロックリンク５４が飛び出しフレーム２１の凸部３２に係合されて、引き込みフレーム５１が飛び出しフレーム２１における手前側の位置に保持されるとともに、飛び出しフレーム２１と一体的に本体ケース１の側壁１４側に移動する状態になる。なお、引き出し用係合部７３の先端部が本体ケース１の側壁１３側に湾曲しているので、ロックリンク５４が飛び出しフレーム２１の凸部３２に係合してから短時間のうちに、操作部材Ｓの操作部ｈが引き出し用係合部７３から外れる。
次いで、さらに引き出しＭを引き出すと、引き出しＭは飛び出し・引き込み装置と無関係に引き出され、全開状態となる。
【００３４】
次に、ロック制御リンク８６の作用について説明する。
キャビネットＫの引き出しＭを全閉状態から開けようとして、引き出しＭを少し押し込み、図１４に示すように、飛び出しフレーム２１が手前側に（本体ケース１の側壁１３側）に飛び出させた後に、引き出しＭを引き出すのを止めて、押しこんで閉める場合に、このロック制御リンク８６が有効に働く。
【００３５】
すなわち、飛び出しフレーム２１が飛び出した状態から引き出しＭを押し込むと、操作部材Ｓの係合部ｈによりキャッチ部材６６の押し込み用係合部７２が押され、さらに引き込みフレーム５１の端部６４により飛び出しフレーム２１のストッパピン３４が押されて、飛び出し用の引っ張りコイルバネ２８をその付勢力に抗して伸ばしながら、引き込みフレーム５１および飛び出しフレーム２１が奥側に押し込まれて、飛び出しフレーム２１のロックリンク３５が本体ケース１の凸部１８の奥側に係合され、飛び出しフレーム２１がその位置に保持される。そして、ロックリンク３５が凸部１８に係合するときに、アーム部７６の先端部（ガイドローラ７７付近）がロックリンク３５を押して回動させ係合しないようにしてしまうのを防止するために、図１７に示すように、凸部１８の前にロック制御リンク８６を配置することで、ロックリンク３５が凸部１８に係合するときに、ロック制御リンク８６がガイドローラ７７の動きを邪魔して、アーム部７６の先端部（ガイドローラ７７付近）をロックリンク３５から遠ざけるようになっている。
【００３６】
以上のようにこの飛び出し・引き込み装置にあっては、１つの装置で引き出しの飛び出しおよび引き込みの両機能を発揮することができるので、装置をコンパクトにすることができる。したがって、調理台や家具等の様々な引き出しに適用して、引き出しの使い勝手を良くすることができる。
【００３７】
なお、上述の実施の形態では、装置本体ＨをキャビネットＫのキャビネット本体Ｌに取り付け、操作部材ＳをキャビネットＫの引き出しＭに取り付けた場合について説明したが、図１８および図１９に示すように、各引き出しＭの底板ｎの下面中央部付近にそれぞれ、装置本体Ｈを取り付け、各引き出しＭの各底板ｎに対向するキャビネット本体Ｌの対向面にそれぞれ、操作部材Ｓを固定するようにしてもよい。
【００３８】
または、図２０および図２１に示すように、各引き出しＭの両側板ｐに操作部材Ｓを取り付け、キャビネット本体Ｌの両側面の対応する位置にそれぞれ装置本体Ｈを取り付けるようにしてもよい。
【００３９】
また、上述の実施の形態では、回転ダンパー２９を用いたが、引き出しＭの引き込み時の速度を緩和することができるものであればよく、線形ダンパー等のダンパーを用いてもよい。さらに、ダンパーは、この飛び出し・引き込み装置とは別個に引き出しＭまたはキャビネット本体Ｌに設けるようにしてもよい。
【００４０】
また、上述の実施の形態では、飛び出しフレーム（飛び出し部材）２１を本体ケース（本体部材）１の一方の端部側に付勢する飛び出し用付勢部材として、本体ケース１と飛び出しフレーム２１との間に設けられた引っ張りコイルバネ（付勢部材）２８を用いたが、これに代えて、例えば、飛び出し用付勢部材として、飛び出しフレーム（飛び出し部材）２１とキャビネット本体Ｌとの間に設けられた引っ張りコイルバネ（付勢部材）を用いることができる。
【００４１】
また、装置本体ＨをキャビネットＫの引き出しＭに取り付け、操作部材ＳをキャビネットＫのキャビネット本体Ｌに取り付ける場合には、例えば、飛び出し用付勢部材として、飛び出しフレーム（飛び出し部材）２１と引き出しＭとの間に設けられた引っ張りコイルバネ（付勢部材）を用いることができる。
【００４２】
また、上述の実施の形態では、引き込みフレーム（引き込み部材）５１を本体ケース（本体部材）１の他方の端部側に付勢する引き込み用付勢部材として、飛び出しフレーム（飛ぶ出し部材）２１と引き込みフレーム５１との間に設けられた引っ張りコイルバネ（付勢部材）６５を用いたが、これに代えて、例えば、引き込み用付勢部材として、引き込みフレーム（引き込み部材）５１と本体ケース（本体部材）１またはキャビネット本体Ｌとの間に設けられた引っ張りコイルバネ（付勢部材）を用いることができる。
【００４３】
また、装置本体ＨをキャビネットＫの引き出しＭに取り付け、操作部材ＳをキャビネットＫのキャビネット本体Ｌに取り付ける場合には、例えば、引き込み用付勢部材として、引き込みフレーム（引き込み部材）５１と本体ケース（本体部材）１または引き出しＭとの間に設けられた引っ張りコイルバネ（付勢部材）を用いることができる。
【００４４】
また、上述の実施の形態では、キャッチ部材６６により、引き出しの全閉時に飛び出しフレーム係合手段を解除可能にしたが、これに代えて、別に飛び出し用操作部（飛び出し部材係合解除手段）を設け、この飛び出し用操作部により、引き出しの全閉時に飛び出しフレーム係合手段を解除するようにしてもよい。
【００４５】
具体的には、例えば、図２２〜図３０に示すように構成することができる。これらの図では、上述の実施の形態と異なる構成のみを説明し、その他の構成および作用は上述の実施の形態の構成および作用と同様であるため、図１〜図１７と同一の符号を付してその詳細な説明を省略することにする。
【００４６】
図２２は飛び出し用操作部付きの飛び出し・引き込み装置が設置されたキャビネット示す横断面図であり、図２３は同キャビネットの縦断面図であり、図２４は飛び出し用操作部の解除ロッド部の平面図、図２５は同解除ロッド部の側面図、図２６は飛び出し・引き込み装置を一部を切り欠いて示す平面図であり、図２７は図２６のＣ矢視図（一部を切り欠いて示す）であり、図２８は本体ケースを示す平面図であり、図２９は飛び出し部を示す平面図であり、図３０はガイドレール部を示す平面図である。
【００４７】
この飛び出し用操作部（飛び出し部材係合解除手段）９０は、キャビネットＫの引き出しＭに設けられた解除ロッド部９１と、本体ケース１に設けられたロック解除部９２とを備えている。
【００４８】
解除ロッド部９１は、引き出しＭの前面の下部に設けられた操作板９３を備えている。この操作板９３の上端部の両端部にそれぞれ固定された回転軸９４が、引き出しＭの前面の下部に回動可能に支持されており、これにより操作板９３が回動可能になっている。この操作板９３の後面には、解除ロッド９５の一方（前側）の先端が当接されている。この解除ロッド９５は、引き出しＭの下面に、２つの支持部材９６により引き出しＭの移動方向（前後方向）に沿うようにかつこの移動方向に移動可能に支持されている。解除ロッド９５は、該解除ロッド９５に設けられたピン９７と、一方の支持部材９６との間に設けられた圧縮コイルバネ（付勢部材）９８により、引き出しＭの引き出し方向（前方向）に付勢されており、これにより解除ロッド９５が操作板９３を引き出しＭの引き出し方向に付勢している。このように付勢されている操作板９３の上端部には、引き出しＭ側に折り曲げられてストッパ部９９が形成されており、このストッパ部９９が引き出しＭに当接することにより、操作板９３が引き出しＭの前面とほぼ平行に位置している。
【００４９】
一方、ロック解除部９２は、ロック解除部材１０１を備えている。このロック解除部材１０１は、本体ケース１の側壁１１における凸部１８の近傍に形成されたガイド部１０２に設けられている。ガイド部１０２は、側壁１１から直交するように突出された筒状に形成されており、このガイド部１０２にロック解除部材１０１が該ガイド部１０２に沿って移動可能に嵌合されている。ガイド部１０２には、該ガイド部１０２に沿うように、すなわち側壁１１に直交するように延びるガイド孔１０３が対向して形成されており、これらのガイド孔１０３にガイドピン１０４の両端部がそれぞれ挿入されている。このガイドピン１０４の中央部は、ロック解除部材１０１を横方向に貫通する貫通孔１０５に挿入されている。これにより、ロック解除部材１０１がガイド孔１０３にガイドされ、側壁１１に直交する方向に移動するようになっている。ロック解除部材１０１の側壁１１側には、小径のロッド部１０６が形成されており、このロッド部１０６の先端部は、側壁１１における凸部１８の直ぐ奥側（側壁１４側）に形成された貫通孔１０７に挿入されている。またロッド部１０６の外側には圧縮コイルバネ（付勢部材）１０８が装着されており、この圧縮コイルバネ１０８により、ロック解除部材１０１が側壁１１から離れる方向に付勢され、これによりロッド部１０６の先端部が側壁１１から内面から突出しない位置に保持されている。ロック解除部材１０１の側壁１１と反対側には、傾斜面１０９が形成されている。この傾斜面１０９は、本体ケース１の手前側（側壁１３側）から奥側（側壁１４側）に向かうにつれて漸次側壁１１から外側に突出するように形成されている。
【００５０】
また、この飛び出し用操作部付きの飛び出し・引き込み装置では、飛び出しフレーム２１のロックリンク３５が略直角に曲がった形状に形成され、このロックリンク３５にアーム部７６の先端部（ガイドローラ７７付近）が接触しないようになっている。また、ロックリンク３５とアーム部７６は接触しないことから、ガイドレール８１およびネジリコイルバネ８８は必要ないので、ガイドレール部４の取付板２２にこれらが設けられていない。
【００５１】
このような飛び出し用操作部付きの飛び出し・引き込み装置において、キャビネットＫの引き出しＭを全閉状態から開けるために、ロックリンク３５を本体ケース１の凸部１８の係合から離脱させるには、引き出しＭを少し押し込むのではなく、操作板９３の前面を押す。そうすると、解除ロッド９５が圧縮コイルバネ９８の付勢力に抗して奥側に移動し、解除ロッド９５の奥側の先端がロック解除部材１０１の傾斜面１０９に手前側（側壁１３側）から奥側（側壁１４側に）向かって押す。これにより、ロック解除部材１０１が圧縮コイルバネ１０８の付勢力に抗して側壁１１の外側から内側に向かって移動し、このロック解除部材１０１の移動に伴って、ロッド部１０６の先端部が側壁１１の内面から内側に突出し、飛び出しフレーム２１のロックリンク３５を押して、ロックリンク３５を板バネ３７の付勢力に抗して本体ケース１の凸部１８の係合から離脱させるように回動させ、飛び出しフレーム２１を移動可能な状態にする。飛び出しフレーム２１が移動可能な状態になると、上述の実施の形態と同様に、飛び出しフレーム２１および引き込みフレーム５１が一体的に本体ケース１の手前側（側壁１３側）に飛び出すとともに、引き出しＭがキャビネット本体Ｌから少し飛び出す。
【図面の簡単な説明】
【００５２】
【図１】本発明の実施の形態に係る飛び出し・引き込み装置が設置されたキャビネットを示す横断面図である。
【図２】同、縦断面図である。
【図３】飛び出し・引き込み装置を一部を切り欠いて示す平面図である。
【図４】図３のＡ−Ａ線に沿う断面図である。
【図５】図３のＢ−Ｂ線に沿う断面図である。
【図６】本体ケースを示す平面図である。
【図７】飛び出し部を示す平面図である。
【図８】引き込み部を示す平面図である。
【図９】ガイドレール部を示す平面図である。
【図１０】飛び出し・引き込み装置の動作を説明するための図であって、一部を切り欠いて示す平面図である。
【図１１】飛び出し・引き込み装置の動作を説明するための図であって、一部を切り欠いて示す平面図である。
【図１２】飛び出し・引き込み装置の動作を説明するための図であって、一部を切り欠いて示す平面図である。
【図１３】飛び出し・引き込み装置の動作を説明するための図であって、一部を切り欠いて示す平面図である。
【図１４】飛び出し・引き込み装置の動作を説明するための図であって、一部を切り欠いて示す平面図である。
【図１５】飛び出し・引き込み装置の動作を説明するための図であって、一部を切り欠いて示す平面図である。
【図１６】飛び出し・引き込み装置の動作を説明するための図であって、一部を切り欠いて示す平面図である。
【図１７】ロック制御リンク８６の作用を説明するための図であって、一部を切り欠いて示す平面図である。
【図１８】飛び出し・引き込み装置の装置本体および操作部材の他の設置例を示すキャビネットの横断面図である。
【図１９】同、縦断面図である。
【図２０】飛び出し・引き込み装置の装置本体および操作部材のさらに他の設置例を示すキャビネットの横断面図である。
【図２１】同、縦断面図である。
【図２２】飛び出し用操作部付きの飛び出し・引き込み装置が設置されたキャビネット示す横断面図である。
【図２３】同、縦断面図である。
【図２４】飛び出し用操作部の解除ロッド部の平面図である。
【図２５】同、側面図である。
【図２６】飛び出し・引き込み装置を一部を切り欠いて示す平面図である。
【図２７】図２６のＣ矢視図（一部を切り欠いて示す）である。
【図２８】本体ケースを示す平面図である。
【図２９】飛び出し部を示す平面図である。
【図３０】ガイドレール部を示す平面図である。
【符号の説明】
【００５３】
Ｋ    キャビネット
Ｌ    キャビネット本体
Ｍ    引き出し
Ｈ    装置本体
Ｓ    操作部材
１    本体ケース（本体部材）
６６  キャッチ部材
２１  飛び出しフレーム（飛び出し部材）
２２  取付板（本体部材）
２８  引っ張りコイルバネ（飛び出し用付勢部材）
５１  引き込みフレーム（引き込み部材）
６５  引っ張りコイルバネ（引き込み用付勢部材）
９０  飛び出し用操作部（飛び出し部材係合解除手段）
【図１】
2006102294.tif 000003
【図２】
2006102294.tif 000004
【図３】
2006102294.tif 000005
【図４】
2006102294.tif 000006
【図５】
2006102294.tif 000007
【図６】
2006102294.tif 000008
【図７】
2006102294.tif 000009
【図８】
2006102294.tif 000010
【図９】
2006102294.tif 000011
【図１０】
2006102294.tif 000012
【図１１】
2006102294.tif 000013
【図１２】
2006102294.tif 000014
【図１３】
2006102294.tif 000015
【図１４】
2006102294.tif 000016
【図１５】
2006102294.tif 000017
【図１６】
2006102294.tif 000018
【図１７】
2006102294.tif 000019
【図１８】
2006102294.tif 000020
【図１９】
2006102294.tif 000021
【図２０】
2006102294.tif 000022
【図２１】
2006102294.tif 000023
【図２２】
2006102294.tif 000024
【図２３】
2006102294.tif 000025
【図２４】
2006102294.tif 000026
【図２５】
2006102294.tif 000027
【図２６】
2006102294.tif 000028
【図２７】
2006102294.tif 000029
【図２８】
2006102294.tif 000030
【図２９】
2006102294.tif 000031
【図３０】
2006102294.tif 000032